(57)【特許請求の範囲】
【請求項１】
パルス分割多元接続を使用して媒体にアクセスするための同時直交チャネルを提供することであって、前記パルス分割多元接続は、前記同時直交チャネルを区別するために時間ホッピング系列とオフセットとを含み、且つ、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、同時直交チャネルを提供することと、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信することと、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信することと、および、
前記直交チャネルの少なくとも１つに関連する信号を処理することと、
を備える媒体アクセス制御方法。
【請求項２】
前記同時直交チャネルは、比較的短い長さと、比較的広い帯域幅と、を有するパルスをサポートする超広帯域チャネルである請求項１に記載の方法。
【請求項３】
前記比較的短い長さは、約１ｐｓ（ピコ秒）から約１μｓ（マイクロ秒）までの範囲を有する請求項２に記載の方法。
【請求項４】
前記同時直交チャネルの１つのチャネル上のパルスを、その同時直交チャネルに関連付けられた、規定されたパルス位置で送信することをさらに備える請求項１に記載の方法。
【請求項５】
前記オフセットは、サポートされる同時直交チャネルの数に基づかれる請求項１に記載の方法。
【請求項６】
前記時間ホッピング系列および前記オフセットに基づいてパルス位置を規定することをさらに備える請求項１に記載の方法。
【請求項７】
前記パルス位置は、時間ホッピングスロットの数に基づいてさらに規定される請求項６に記載の方法。
【請求項８】
前記オフセットは、静的スカラー値を備える請求項１に記載の方法。
【請求項９】
前記オフセットは、時間とともに変化する値を備える請求項１に記載の方法。
【請求項１０】
前記オフセットは、非スカラー値を備える請求項１に記載の方法。
【請求項１１】
前記時間ホッピング系列は、送信機アドレス、受信機アドレス、チャネル識別子、系列番号、およびセキュリティ鍵、から成るグループのうち少なくとも１つに基づいて規定される請求項１に記載の方法。
【請求項１２】
媒体アクセス制御を提供するための装置であって、
パルス位置を規定するためにパルス分割多元接続を使用する同時直交チャネルをサポートする媒体アクセス制御を介してアクセスを提供するように適合された媒体アクセスコントローラであって、前記パルス分割多元接続が前記同時直交チャネルを区別するために時間ホッピング系列とオフセットとを含み、且つ、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
送信機であって、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信し、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信する、
送信機と、および、
前記媒体アクセスコントローラに動作上、結合され、且つ、前記直交チャネルの少なくとも１つに関連する信号を処理するように適合された、信号プロセッサと、
を備える装置。
【請求項１３】
前記同時直交チャネルは、比較的短い長さと、比較的広い帯域幅と、を有するパルスをサポートする超広帯域チャネルである請求項１２に記載の装置。
【請求項１４】
前記比較的短い長さは、約１ｐｓ（ピコ秒）から約１μｓ（マイクロ秒）までの範囲を有する請求項１３に記載の装置。
【請求項１５】
パルスは、前記同時直交チャネルの１つのチャネル上で、その同時直交チャネルに関連付けられた、規定されたパルス位置で送信される請求項１２に記載の装置。
【請求項１６】
前記オフセットは、サポートされる同時直交チャネルの数に基づかれる請求項１２に記載の装置。
【請求項１７】
前記パルス位置は、前記時間ホッピング系列および前記オフセットに基づいて規定される請求項１２に記載の装置。
【請求項１８】
前記パルス位置は、前記時間ホッピング系列、前記オフセット、および時間ホッピングスロットの数、に基づいて規定される請求項１７に記載の装置。
【請求項１９】
前記オフセットは、静的スカラー値を備える請求項１２に記載の装置。
【請求項２０】
前記オフセットは、時間とともに変化する値を備える請求項１２に記載の装置。
【請求項２１】
前記オフセットは、非スカラー値を備える請求項１２に記載の装置。
【請求項２２】
前記時間ホッピング系列は、送信機アドレス、受信機アドレス、チャネル識別子、系列番号、およびセキュリティ鍵、から成るグループのうち少なくとも１つに基づいて規定される請求項１２に記載の装置。
【請求項２３】
媒体アクセス制御を提供するための装置であって、
パルス位置を規定するためにパルス分割多元接続を使用する同時直交チャネルをサポートする媒体アクセス制御を介してアクセスを提供するための手段であって、前記パルス分割多元接続が前記同時直交チャネルを区別するように時間ホッピング系列とオフセットとを含み、且つ、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、アクセスを提供するための手段と、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信するための手段と、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信するための手段と、および、
前記直交チャネルの少なくとも１つに関連する信号を処理するための手段と、
を備える装置。
【請求項２４】
前記同時直交チャネルは、比較的短い長さと、比較的広い帯域幅と、を有するパルスをサポートする超広帯域チャネルである請求項２３に記載の装置。
【請求項２５】
前記比較的短い長さは、約１ｐｓ（ピコ秒）から約１μｓ（マイクロ秒）までの範囲を有する請求項２４に記載の装置。
【請求項２６】
パルスは、前記同時直交チャネルの１つのチャネル上で、その同時直交チャネルに関連付けられた、規定されたパルス位置で送信される請求項２３に記載の装置。
【請求項２７】
前記オフセットは、サポートされる同時直交チャネルの数に基づかれる請求項２３に記載の装置。
【請求項２８】
前記パルス位置は、前記時間ホッピング系列および前記オフセットに基づいて規定される請求項２３に記載の装置。
【請求項２９】
前記パルス位置は、前記時間ホッピング系列、前記オフセット、および時間ホッピングスロットの数、に基づいて規定される請求項２８に記載の装置。
【請求項３０】
前記オフセットは、静的スカラー値を備える請求項２３に記載の装置。
【請求項３１】
前記オフセットは、時間とともに変化する値を備える請求項２３に記載の装置。
【請求項３２】
前記オフセットは、非スカラー値を備える請求項２３に記載の装置。
【請求項３３】
前記時間ホッピング系列は、送信機アドレス、受信機アドレス、チャネル識別子、系列番号、およびセキュリティ鍵、から成るグループのうち少なくとも１つに基づいて規定される請求項２３に記載の装置。
【請求項３４】
同時直交チャネルを区別するために時間ホッピング系列とオフセットとを含むパルス分割多元接続を使用する前記同時直交チャネルをサポートする媒体アクセス制御を介してアクセスを提供するように適合された媒体アクセスコントローラであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
前記媒体アクセスコントローラに動作上、結合され、且つ、前記直交チャネルの少なくとも１つに関連する信号を処理するように適合された信号プロセッサと、
送信機であって、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信し、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信する、
送信機と、および、
前記処理された信号によって表されるサウンドを生成するように適合されたトランスデューサと、
を備えるヘッドセット。
【請求項３５】
同時直交チャネルを区別するために時間ホッピング系列とオフセットとを含むパルス分割多元接続を使用する前記同時直交チャネルをサポートする媒体アクセス制御を介してアクセスを提供するように適合された媒体アクセスコントローラであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
前記媒体アクセスコントローラに動作上、結合され、且つ、前記直交チャネルの少なくとも１つに関連する信号を処理するように適合された信号プロセッサと、
送信機であって、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信し、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信する、
送信機と、および、
前記処理された信号によって表されるデータに基づく指示を生成するように適合されたユーザインターフェースと、
を備える腕時計。
【請求項３６】
同時直交チャネルを区別するために時間ホッピング系列とオフセットとを含むパルス分割多元接続を使用する前記同時直交チャネルをサポートする媒体アクセス制御を介してアクセスを提供するように適合された媒体アクセスコントローラであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
前記媒体アクセスコントローラに動作上、結合され、且つ、前記直交チャネルの少なくとも１つに関連する信号を処理するように適合された信号プロセッサと、
送信機であって、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信し、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信する、
送信機と、および、
感知されたデータに基づいて信号を生成するように適合されたセンサと、
を備える感知デバイス。
【請求項３７】
同時直交チャネルを区別するために時間ホッピング系列とオフセットとを含むパルス分割多元接続を使用する前記同時直交チャネルをサポートする媒体アクセス制御を介してアクセスを提供することであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、アクセスを提供することと、
前記時間ホッピング系列と前記第１のオフセットとによって特定された複数の第１のパルス位置で前記第１の同時チャネルに送信することであって、前記第１のパルス位置のそれぞれは別のパルス反復間隔の間に生じ、前記パルス反復間隔のそれぞれは同数のパルス位置に分割される、前記第１の同時チャネルに送信することと、
前記時間ホッピング系列と前記第２のオフセットとによって特定され且つ前記複数の第１のパルス位置から時間的に分離した複数の第２のパルス位置で前記第２の同時チャネルに送信することであって、前記複数の第２のパルス位置から前記複数の第１のパルス位置を分離する時間の量は、前記第１のオフセットと前記第２のオフセットとの間の相対的差分と、各パルス反復間隔における前記パルス位置の数と、に基づく、前記第２の同時チャネルに送信することと、および、
前記直交チャネルの少なくとも１つに関連する信号を処理することと、
をコンピュータに実行させる媒体アクセス制御コンピュータプログラム。
【発明の詳細な説明】
【技術分野】
【０００１】
本出願は、概して、通信に関し、より詳細には、超広帯域通信における同時直交チャネルのための媒体アクセス制御に関する。
【背景技術】
【０００２】
無線通信システムにおける無線デバイスは、所与の無線周波数帯域内に周波数を有する信号を介して互いに通信することができる。１つのデバイスからの伝送を別のデバイスからの伝送に干渉することから防止するために対策（provisions）が行われることが可能である。例えば、一部のシステムは、一度に１つのデバイスだけが所与の媒体（例えば、或る無線周波数帯域）を使用すること許す媒体アクセス制御を使用する。これを実現する１つの方法は、別のデバイスがその媒体を介して現在、伝送しているかどうかを判定するために、その媒体を調べることを各デバイスに可能にすることである。その媒体が使用中である場合、デバイスは、その媒体が使用中でない後の時点まで、伝送することを遅延するだろう。代替として、一部のシステムは、同一の周波数帯域内の別のデバイスの同時の伝送に干渉する１つのデバイスからの伝送の可能性を低減するために、伝送される信号を変形する、拡散スペクトルなどのシグナリング技術を使用する。
【０００３】
これらなどの技術は、様々な無線通信システムにおいて使用されることが可能である。そのような無線通信システムの例が、超広帯域システムである。超広帯域（ＵＷＢ）技術は、パーソナルエリアネットワーク（「ＰＡＮ」）アプリケーションまたはボディエリアネットワーク（「ＢＡＮ」）アプリケーションにおいて使用されることが可能である。一部の無線ＰＡＮアプリケーションまたは無線ＢＡＮアプリケーションに関するアクセススキームは、相当に異なる要件を有する様々なデバイスをサポートする必要がある可能性がある。例えば、一部のデバイスに関して、消費する電力を可能な限り少なくすることが重要である。さらに、ネットワークにおける所与のデバイス、またはネットワークにおける異なるデバイスが、様々なデータ転送速度をサポートする可能性がある。その結果、アクセススキームは、比較的ロバストであるが、それでも柔軟性のある機能を提供する必要がある可能性がある。
【発明の概要】
【０００４】
媒体アクセス制御のためのシステムおよび方法が開示される。この方法は、パルス位置を規定するためにパルス分割多元接続を使用して媒体にアクセスするための同時直交チャネルを提供することを備え、ここで、パルス分割多元接続は、それらの同時直交チャネルを区別するために時間ホッピング系列とオフセットとを含む。さらに、この方法は、それらの直交チャネルの少なくとも１つに関連する信号を処理することを備える。
【図面の簡単な説明】
【０００５】
【図１】図１は、本発明の一態様による同時直交超広帯域チャネルに関して媒体アクセス制御を使用する通信システムの例示的な態様の簡略化されたブロック図である。
【図２】図２は、本発明の一態様による同時直交超広帯域チャネルに関して媒体アクセス制御を提供するように実行されることが可能な動作の例示的な態様を示すフローチャートである。
【図３】図３は、本発明の一態様によるいくつかの無線デバイスを含む通信システムの例示的な態様の簡略化されたブロック図である。
【図４】図４は、本発明の一態様による超広帯域無線通信ネットワークにおいて１つまたは複数の同時直交チャネルを確立するように実行されることが可能な動作の例示的な態様のフローチャートである。
【図５】図５は、例示的なパルス位置を生成するために時間ホッピング系列および時間ホッピングオフセットを使用する例示的な態様の簡略化されたタイミング図である。
【図６】図６は、本発明の一態様による同時直交超広帯域チャネルをサポートするように適合された送信プロセッサの例示的な態様の簡略化されたブロック図である。
【図７】図７は、同時超広帯域チャネルをサポートするように適合された受信プロセッサの例示的な態様の簡略化されたブロック図である。
【発明を実施するための形態】
【０００６】
本発明の様々な態様が以下に説明される。本明細書の教示は、多種多様な形態で実施され得ること、ならびに本明細書で開示される任意の特定の構造、機能、または構造と機能の両方は、単に代表的であるに過ぎないことが明白であろう。本明細書の教示に基づいて、当業者は、本明細書で開示される態様が、他のいずれの態様とも無関係に実施され得ること、ならびにこれらの態様の２つ以上が様々な仕方で組み合わされてもよいことを認識すべきである。例えば、本明細書で説明される態様をいくつであれ使用して、装置が実施されることが可能であり、あるいは方法が実施されることが可能である。さらに、本明細書で説明される態様の１つまたは複数に加えて、またはそれらの態様以外に、他の構造、機能、または構造と機能を使用して、そのような装置が実施されることが可能であり、あるいはそのような方法が実施されることが可能である。さらに、一態様は、特許請求の範囲の少なくとも１つの要素を備える。
【０００７】
一部の態様において、媒体アクセス制御スキームは、２つ以上のデバイスが共通の通信媒体を介して通信することを可能にする。例えば、超広帯域ベースの無線ＰＡＮまたは無線ＢＡＮのスペクトルは、時空間的に複数のチャネルに分割されることが可能である。これらのチャネルは、例えば、異なるタイプのデータ、異なるデータ転送速度、異なるサービス品質、または他の何らかの基準に対応するように規定されることが可能である。そのようなチャネル化スキームにおいて、それらのチャネルをセットアップし、それらのチャネルを利用するために、様々な技術が使用されることが可能である。
【０００８】
図１は、本発明の一態様による超広帯域チャネルにおける直交チャネルに関して媒体アクセス制御を使用する通信システムの例示的な態様の簡略化されたブロック図である。図１に示されるとおり、通信システム１００は、互いを相手に１つまたは複数の通信チャネル１０６を確立するように適合された通信デバイス１０２および１０４を含む。図１の複雑さを減らすため、一対のデバイスだけが示される。実際には、システム１００は、他の１つまたは複数のチャネル（図１に示されない）を確立することによって通信媒体を共有する、いくつかのデバイスを含むことが可能である。
【０００９】
デバイス１０２および１０４は、通信媒体へのアクセスを提供するために、それぞれ、媒体アクセスコントローラ１０８および１１８を含む。一態様において、媒体アクセス制御アーキテクチャは、ネットワークトポロジスキーム、アドレス指定スキーム、チャネル化スキーム（例えば、チャネルアクセススキーム）、および媒体アクセス制御状態及び制御スキームを規定すること、および実施することを含む。そのような機能を提供するために、媒体アクセスコントローラ１０８および１１８は、それぞれ、アドレス指定スキームセレクタ１１０および１２０、それぞれ、パルス分割多元接続コントローラ１１２および１２２、およびそれぞれ、状態コントローラ１１４および１２４、ならびにその他のコンポーネント（図１に示されない）を含むことが可能である。
【００１０】
さらに、アドレス指定スキームセレクタ１１０は、所与のチャネルに関するアドレス指定スキームを規定するために使用されることが可能である。この場合、電力要件および帯域幅要件を低減しながら、一意のアドレス指定が、所与のチャネルに関連するメッセージに与えられることが可能である。例えば、一態様において、所与のチャネルに関するメッセージングは、対応する送信機のネットワークデバイスアドレスより短い送信元アドレスを使用することが可能である。さらに、所与のチャネルに関するメッセージングは、対応する受信機のネットワークデバイスアドレスより短い宛先アドレスを使用することが可能である。代替の態様において、所与のチャネルに関するメッセージングは、送信元アドレス、宛先アドレス、または送信元アドレスと宛先アドレスを使用しないことも可能である。この場合、受信機が、単に、受信されたデータに関連する一意のシグナリングスキームを解析することによって、その受信機を宛先とするデータを識別することができるように、そのチャネルに関する一意のシグナリングスキームが規定されることが可能である。
【００１１】
一態様において、状態コントローラ１１４は、様々な媒体アクセス制御状態を規定し、維持するのに使用されることが可能である。例えば、媒体アクセス制御は、データが伝送されていない場合、１つまたは複数の比較的低い電力状態を使用することが可能であり、データが転送されている場合は、より高い電力状態を使用することが可能である。一部の態様において、これらの異なる状態は、デューティサイクルの異なるレベル、チャネルパラメータの異なる知識、およびチャネル同期の異なるレベルに関連付けられることが可能である。
【００１２】
また、デバイス１０２および１０４は、チャネル（複数可）１０６に関連する信号を処理するために、それぞれ、信号プロセッサ１１６および１２６も含む。例えば、信号プロセッサ１１６および１２６は、或るチャネルを介して送信されるべき信号を処理する、および／または生成することが可能である。さらに、信号プロセッサ１１６および１２６は、或るチャネルを介して受信された信号を処理することが可能である。
【００１３】
一態様において、パルス分割多元接続（ＰＤＭＡ）コントローラ１１２は、超広帯域パルス分割多元接続チャネル化スキームを規定し、実施するために使用されることが可能である。超広帯域システムにおいて、データ転送速度は、スペクトル帯域幅と比べて比較的小さいことが可能である。パルス分割多元接続の使用を介して、媒体アクセス制御は、チャネル間にほとんど、または全く干渉なしに同時に並存するいくつかのチャネルを規定することができる。その結果、媒体アクセス制御は、コーディネータまたは中央コントローラと調整することなしに、チャネルを独立に規定することができる。例えば、デバイス１０２および１０４は、いくつかのチャネル１０６を独立に確立し、それらのチャネル１０６を介してデータを同時に送信することができる。さらに、他の隣接ピアデバイス（図示されない）は、チャネル（複数可）１０６と同時に機能させられる他のチャネルを独立に確立することもできる。
【００１４】
さらに、パルス分割多元接続の使用を介して、媒体アクセス制御は、様々なタイプのデータ、および様々なデータ転送速度に関して様々なタイプのアプリケーションを効率的にサポートすることができる。例えば、１つのチャネルが非同期（例えば、バースト性の）データをサポートすることが可能である一方で、別のチャネルが、規則的な間隔で受信されるオーディオおよび／またはビデオなどのストリーミングデータをサポートする。有利には、これらのチャネルは、各チャネルがその他のチャネルの動作にほとんど、または全く影響を与えずに、同時に機能することが可能である。
【００１５】
図２は、本発明の一態様による同時直交超広帯域チャネルに関して媒体アクセス制御を提供するように実行されることが可能な動作の例示的な態様を示すフローチャート２００である。便宜上、図２（または本明細書の他の任意のフローチャート）の動作は、特定のコンポーネントによって実行されるものとして説明されることが可能である。実際には、これらの動作は、他のコンポーネントと連携して、さらに／または他のコンポーネントによって実行されてもよい。
【００１６】
ブロック２０２で、デバイスの１つまたは複数が、１つまたは複数の超広帯域チャネルを確立する（例えば、規定する）ことが可能である。例えば、一部の態様において、或るデバイス（例えば、デバイス１０２）が、或るチャネルを独立に規定することが可能である。代替として、或るデバイスは、或るチャネルを規定するために、或るピアデバイス（例えば、デバイス１０４）と協働することも可能である。前述したとおり、一態様において、デバイス（複数可）は、パルス分割多元接続スキームに準拠して直交チャネルを確立することが可能である。
【００１７】
ブロック２０４で、このようにして、デバイスが、同時直交超広帯域チャネルをサポートする媒体アクセス制御を介してアクセスを提供することが可能である。前述したとおり、一態様において、媒体アクセスコントローラは、アクセスを提供するために独立して動作することが可能である。代替として、システム１００におけるデバイス（図１に示される）の１つまたは複数が、中央コントローラとして機能すること、または通信媒体へのアクセスを調整するための類似した機能を提供することも可能である。一部のシナリオにおいて、１つのデバイスは、無線パーソナルエリアネットワークにおいて自然に中心的な役割をすることが可能である。例えば、ユーザのハンドセットは、ヘッドセット、携帯電話機、およびメディアプレーヤなどのいくつかの周辺デバイスのコーディネータまたはマスタであることが可能である。一態様において、このコーディネータ機能またはマスタ機能は、より高位の層のプロトコルもしくはプロファイルにおいて実施されることが可能である。
【００１８】
ブロック２０６で示されるとおり、信号プロセッサは、それらのチャネルの１つまたは複数に関連する信号を処理することができる。例えば、信号プロセッサは、前述したシグナリングスキームに準拠して、或るチャネルを介して送信されるべき信号を処理し、および／または或るチャネルから受信された信号を処理することが可能である。このため、信号プロセッサは、そのチャネルを介して送信されるべきデータパルスを生成し、および／またはそのチャネルを介して受信されたパルスからデータを抽出することが可能である。このようにして、データは、そのチャネル（複数可）を介してピアデバイス間で送信されることが可能である。
【００１９】
また、向上した媒体アクセス制御パフォーマンスが、超広帯域パルス分割多元接続スキームの使用を介して実現されることも可能である。例えば、複数のチャネルが同時に、独立に機能させられることが可能であることから、媒体アクセス制御は、１つのタイプのチャネルに関して所与のレベルのサービス品質を、システムにおける他のいずれのチャネルに関連するいずれのデータ伝送にも関係なく、維持することができる。また、パルス分割多元接続スキームの使用は、媒体アクセス制御の複雑さをさらに低減するのに役立つことも可能である。例えば、媒体アクセス制御は、所与の時点で１つのデバイスが或る通信媒体を介して通信することしか許さない媒体アクセス制御スキームにおいて、さもなければ要求され得る、多重化動作を実行する必要がない可能性がある。さらに、媒体アクセス制御は、再送、肯定応答、および誤り検査などの関連する信頼性動作を実行する必要がない可能性がある。
【００２０】
以上の概略に留意して、次に、サンプル媒体アクセス制御スキームの様々な動作のさらなる詳細が、いくつかの超広帯域無線デバイスを使用する通信システムの文脈において説明されるだろう。具体的には、図３は、いくつかのＵＷＢ無線通信デバイス１乃至Ｍ（ただし、Ｍは、正の整数）３０２、３０４、３０６、および３０８が、互いを相手に無線通信チャネル１乃至Ｚ（ただし、Ｚは、正の整数）３１０、３１２、および３１４を確立するように適合されたシステム３００を示す。図４のフローチャート４００は、同時直交チャネルを確立するのに使用されることが可能なサンプル動作を示す。図３の複雑さを減らすため、これらのデバイスの選択された態様は、デバイス３０２と関連してだけ図示される。しかし、その他のデバイス３０４、３０６、および３０８が同様の機能を組み込むことも可能であることを認識されたい。
【００２１】
図３において、デバイス３０２、３０４、３０６、および３０８は、パルスベースの物理層を介して通信する。一部の態様において、物理層は、（例えば、数百ナノ秒もしくは数ナノ秒のオーダ、または他の何らかの長さの）比較的短い長さと、比較的広い帯域幅とを有する超広帯域パルスを利用することが可能である。一部の態様において、超広帯域システムは、約２０％以上のオーダの比帯域幅（fractional bandwidth）を有し、および／または約５００ＭＨｚ以上のオーダより大きい帯域幅を有するシステムと定義されることが可能である。
【００２２】
デバイス３０２は、１つまたは複数の同時直交超広帯域チャネルを規定し、これらのチャネルを確立し、これらのチャネルを介して通信するために使用され得るいくつかのコンポーネントを示す。例えば、（例えば、図１に示されるＰＤＭＡコントローラ１１２の機能を実施する）チャネルエスタブリシャコンポーネント３３６は、様々なチャネルに関する様々なパルス分割多元接続（「ＰＤＭＡ」）信号パラメータを規定し、および／または選択するために使用されることが可能である。ＰＤＭＡスキームにおいて、それらのチャネルに関するパルスのタイミング（例えば、時空間的なパルス位置）は、１つのチャネルを別のチャネルから区別するために使用されることが可能である。この場合、比較的狭いパルス（例えば、数ナノ秒のオーダのパルス幅）、および比較的低いデューティサイクル（例えば、数百ナノ秒または数マイクロ秒のオーダのパルス反復周期）の使用を介して、所与のチャネルに関するパルス間に他の１つまたは複数のチャネルに関するパルスをインターレースする十分な余裕が存在することが可能である。
【００２３】
デバイス３０２は、システム３００におけるその他のデバイス３０４、３０６、および３０８とは独立に、またはデバイス３０４、３０６、および３０８の１つまたは複数と協働して、或るチャネルを確立することが可能である（ブロック４０２）。一態様において、デバイスは、既知の発見チャネルを介して別のデバイスと最初に通信することによって、その別のデバイスを相手にチャネルを確立するように構成されることが可能である。この場合、そのチャネルを確立することを求めるデバイスは、その既知チャネルを介して予備メッセージ（preliminary message）（例えば、ポーリングメッセージ）を送信することが可能である。さらに、システムにおける各デバイスは、予備メッセージがないか既知チャネルを周期的にスキャンするように構成されることが可能である。予備通信が、既知チャネルを介して２つ以上のデバイス間で確立されると、それらのデバイスは、関連付け手順を実行し、それによってそれらのデバイスが各デバイスのそれぞれの能力について知ることができる。例えば、関連付け手順中、各デバイスには、短縮されたネットワークアドレス（例えば、ＭＡＣアドレスより短い）が割り当てられることが可能であり、それらのデバイスは、互いを認証することができ、それらのデバイスは、或る特定のセキュリティ鍵、または複数の特定のセキュリティ鍵を使用するようにネゴシエートすることができ、さらにそれらのデバイスは、各デバイスを相手に行われ得るトランザクションのレベルを判定することができる。これらの能力に基づいて、それらのデバイスは、その後の通信のための新たなチャネルを確立するためにネゴシエートすることができる。
【００２４】
図４のブロック４０２によって表されるとおり、デバイス（複数可）は、同時直交チャネルのためのパルス反復周波数（ＰＲＦ）を獲得する（または選択する）ことができる。さらに、ブロック４０４で、デバイス（複数可）は、同時チャネルのための時間ホッピング系列を獲得する（または選択する）ことができる。ＵＷＢシステムにおいて、デバイスは、事前指定された位置でパルスを送信することによって、媒体にアクセスすることができる。これらの位置は、パルス反復周波数（ＰＲＦ）および時間ホッピング系列によって規定される。一態様において、ＰＲＦは、正規パルス位置（canonic pulse position）と呼ばれる、周期的パルス位置のグループを規定する。この態様において、ＰＲＦの値は、所望されるデータ転送速度に応じて、１０ｋＨｚから１０ＭＨｚまで劇的に変わることが可能である。さらに、したがって、パルス反復間隔（ＰＲＩ）と呼ばれるＰＲＦの逆数は、１００ナノ秒から１００μ秒までの範囲内である。このため、パルスの位置は、もはや周期的でないホッピングされる位置をもたらすようにＰＲＦと時間ホッピング系列の組合せによって算出されて、周期的パルス衝突が生じるのを防止することも可能である。
【００２５】
ブロック４０６で、デバイス（複数可）は、同時直交チャネルのための時間ホッピングオフセットを獲得する（または選択する）ことができる。ブロック４０８で、パルス位置は、ＰＲＦ、時間ホッピング系列、および／または時間ホッピングオフセットの組合せを使用して規定されるだろう。一態様において、ＰＲＦが決定されると、正規パルス位置に挟まれた期間がＮ個の時間ホッピングスロットに分割される。このため、時間ホッピング系列は、パルス番号ｉに関して、実際のパルス位置がスロットｔiであるように、ｔi∈｛０，１，．．．，Ｎ−１｝という系列である。つまり、ＰＲＦおよび時間ホッピング系列は、第１の同時チャネルを決定するために使用される。
【００２６】
さらに、一態様において、デバイスが第２の同時チャネルをセットアップすることを望む場合、デバイスは、時間ホッピングオフセットと呼ばれるスカラー変数を選択するだろう。この態様において、同一のＰＲＦおよび時間ホッピング系列を使用して、パルス番号ｉの実際のパルス位置は、（（ｔi＋時間ホッピングオフセット）ＭＯＤ  Ｎ）によって算出されることが可能である。したがって、第２のチャネルのパルス位置は、第１のチャネルのパルス位置と同一ではなく、その逆も同様であり、第２のチャネルのパルスは、第１のチャネルのパルスと衝突しないだろう。つまり、この２つの同時直交チャネルに送信されるパルスは、衝突しないだろう。この技術は、それぞれのさらなるチャネルが異なる時間ホッピングオフセット値を選択する限り、第３のチャネル、第４のチャネル、および第Ｎのチャネルまでセットアップすることに拡張され得る。
【００２７】
代替の態様において、デバイス（複数可）は、時間ホッピングオフセットとして、静的スカラー値、非スカラー値、または時間とともに変化する値を選択し、使用することができる。さらに、デバイス（複数可）は、１つまたは複数のデバイス関連のパラメータ、またはその他のパラメータに基づく時間ホッピング系列を選択してもよい。例えば、時間ホッピング系列は、非常に長く、したがって、その通信媒体を介して送信機から受信機に時間ホッピング系列を送信することに比較的大きいオーバヘッドが関連することも可能である。このため、この系列の送信を回避するのに、（送信機および受信機を組み込んだ）それらのデバイスは、それらのデバイスによって知られているパラメータの関数として、この系列を導き出してもよい。例えば、系列ジェネレータ３２８（図３に示される）は、そのチャネルを確立するデバイス（例えば、送信機および／または１つまたは複数の受信機）のアドレス、チャネル番号、系列番号、セキュリティ鍵、または以上の任意の組合せなどの、そのチャネルと関係する１つまたは複数のパラメータに基づいて、時間ホッピング系列を導き出すことが可能である。換言すれば、系列ジェネレータ３２８は、送信機アドレス、受信機アドレス、チャネル識別子、系列番号、およびセキュリティ鍵から成るグループのうち少なくとも１つに基づいて、時間ホッピング系列を導き出すことが可能である。一部の態様において、チャネル番号、系列番号、またはセキュリティ鍵は、デバイス（複数可）によって生成される、または割り当てられることが可能である。
【００２８】
図５は、例示的なパルス位置を生成するために時間ホッピング系列および時間ホッピングオフセットを使用する例示的な態様の簡略化されたタイミング図５００である。説明を簡略化するため、図５は、２つのチャネル５０２および５０４を有する構成の例を示す。この図に示されるとおり、パルス５０６、５１２、および５１４がチャネル１  ５０２に送信される一方で、パルス５０８、５１０、および５１６がチャネル２  ５０４に送信される。さらに、パルス反復間隔は、２−ＰＰＭ（パルス位置変調）を使用して２００ｎｓ（ナノ秒）である。換言すれば、パルスがパルス反復間隔の最初の１００ナノ秒内に生じる場合、送信されるビットは、ゼロ（０）という値を有するだろう。他方、パルスがパルス反復間隔の２番目の１００ナノ秒内に生じる場合、送信されるビットは、イチ（１）という値を有するだろう。図５に示されるとおり、パルス５０６および５１０に関する送信されるビットは、パルス５０６および５１０が、それぞれのパルス５０６および５１０の間隔の最初の１００ナノ秒内に生じるため、ゼロ（０）という値を有する。さらに、パルス５０８、５１２、５１４、および５１６に関する送信されるビットは、これらのパルスが、それぞれのパルスの間隔の２番目の１００ナノ秒内に生じるため、イチ（１）という値を有する。
【００２９】
図５において、（ＴＨＯｆｆｓｅｔと表される）チャネル１に関する時間ホッピングオフセットは、０であり、チャネル２に関するＴＨＯｆｆｓｅｔは、５である。さらに、時間ホッピングスロットの数は、１０であり、各時間ホッピングスロットは、１０ｎｓ（ナノ秒）という持続時間を有する。例として、パルス５１０のパルス位置は、以下の一般式を使用して計算される。すなわち、パルス位置＝（そのチャネルに関する時間ホッピング系列＋時間ホッピングオフセット）ＭＯＤ  時間ホッピングスロットの数である。このＭＯＤ演算は、図５に記号「％」で表される。この一般式に特定の値を適用して、パルス５１０の位置＝（６＋５）＝１である。さらに、同一の一般式を使用して、パルス５１２の位置は、６である。このため、パルス５１０および５１２は、衝突することなしに、異なるパルス位置でチャネル１および２（それぞれ５０２および５０４）に送信され得る。
【００３０】
一態様において、これらのパルスは、比較的短い長さと、比較的広い帯域幅とを有する。例えば、パルスの長さは、約１ｐｓ（ピコ秒）から約１μｓ（マイクロ秒）までの広い範囲を有する。一態様において、パルスの長さは、約０．１ｎｓ（ナノ秒）から約１０ｎｓ（ナノ秒）までの好ましい範囲を有する。
【００３１】
本明細書の教示は、様々なデバイスに組み込まれることが可能である。例えば、本明細書で教示される１つまたは複数の態様は、電話機（例えば、携帯電話機）、携帯情報端末（「ＰＤＡ」）、エンターテイメントデバイス（例えば、ミュージックデバイスもしくはビデオデバイス）、ヘッドセット、マイクロフォン、バイオメトリックセンサ（例えば、心拍数モニタ、スマートバンドエイド（smart band-aid）、歩数計、ＥＫＧデバイス、キーボード、マウスなど）、ユーザＩ／Ｏデバイス（例えば、腕時計、リモートコントローラ、照明スイッチなど）、または他の任意の適切なデバイスに組み込まれることが可能である。さらに、これらのデバイスは、様々な電力要件およびデータ要件を有することが可能である。有利には、本明細書の教示は、（例えば、パルスベースのシグナリングスキームおよび低デューティサイクルモードの使用を介して）低電力アプリケーションにおいて使用されるように適合されることが可能であり、（例えば、高帯域幅パルスの使用を介して）比較的高いデータ転送速度を含む様々なデータ転送速度をサポートすることが可能である。
【００３２】
一態様において、これらのデバイスの２つ以上が、様々なタイプの情報を交換するように互いを相手に通信を独立に確立することが可能である。例えば、ユーザが、これらのデバイスのいくつか（例えば、腕時計、携帯電話機、およびヘッドセット）を携帯することが可能であり、ここで、ユーザに対してより効果的に提示するために、１つのデバイスによって受信されたデータが別のデバイスに供給されることが可能である。
【００３３】
本明細書で説明されるコンポーネントは、様々な形態で実施されることが可能である。例えば、図６を参照すると、送信プロセッサ６００は、例えば、前述したコンポーネント１０８、１１６、３２０、１１４、３３０、３２４、３２６、３２８、３３４、３３６、および３３６にそれぞれ対応することが可能なコンポーネント６０２、６０４、６０６、６０８、６１０、６１２、６１４、６１６、６１８、６２０、および６２２を含む。図７において、受信プロセッサ７００は、同様のコンポーネント７０２、７０４、７０６、７０８、７１０、７１２、７１４、７１６、７１８、７２０、および７２２を含む。図６および図７は、一部の態様において、これらのコンポーネントが適切なプロセッサコンポーネントを介して実施され得ることを示す。これらのプロセッサコンポーネントは、一部の態様において、少なくとも部分的に、本明細書で教示される構造を使用して実施されることが可能である。一部の態様において、プロセッサは、これらのコンポーネントの１つまたは複数のコンポーネントの機能の一部分、またはすべてを実施するように適合されることが可能である。一部の態様において、破線のボックスによって表されるコンポーネントの１つまたは複数は、オプションである。
【００３４】
さらに、図６および図７によって表されるコンポーネントおよび機能、ならびに本明細書で説明されるその他のコンポーネントおよび機能は、任意の適切な手段を使用して実施されることが可能である。また、そのような手段は、少なくとも部分的に、本明細書で教示される対応する構造を使用して実施されることが可能である。例えば、一部の態様において、送信するための手段は、送信機を備えることが可能であり、受信するための手段は、受信機を備えることが可能であり、アクセスを提供するための手段は、媒体アクセスコントローラを備えることが可能であり、シグナリングを処理するための手段は、信号プロセッサを備えることが可能であり、チャネルを確立するための手段は、チャネルエスタブリシャを備えることが可能であり、チャネル（複数可）をスキャンするための手段は、チャネルスキャナを備えることが可能であり、系列を生成するための手段は、系列ジェネレータを備えることが可能であり、アドレス指定スキームを選択するための手段は、アドレスセレクタを備えることが可能であり、通信するための手段は、通信モジュールを備えることが可能であり、複数のタイムスロットを同期させるための手段は、タイムスロットシンクロナイザを備えることが可能であり、状態を遷移させるための手段は、状態コントローラを備えることが可能であり、輻輳制御を提供するための手段は、輻輳コントローラを備えることが可能である。また、そのような手段の１つまたは複数が、図６および図７のプロセッサコンポーネントの１つまたは複数に従って実施されることも可能である。
【００３５】
本開示の以上の態様のいずれも、異なる多くのデバイスにおいて実施されることが可能である。例えば、前述した医療アプリケーションに加えて、本開示の態様は、健康アプリケーションおよびフィットネスアプリケーションにおいて実施されることが可能である。さらに、本開示の態様は、異なるタイプのアプリケーションのための見地において実施されることが可能である。本明細書で説明される開示の任意の態様を組み込むことが可能な他の多数のアプリケーションが存在する。
【００３６】
本開示の様々な態様が、以上に説明されてきた。本明細書の教示は、多種多様な形態で実施され得ること、ならびに本明細書で開示されている任意の特定の構造、機能、または構造と機能の両方は、単に代表的であるに過ぎないことが明白であろう。本明細書の教示に基づいて、当業者は、本明細書で開示される態様が、他の任意の態様とは独立に実施され得ること、ならびにこれらの態様の２つ以上が様々な仕方で組み合わされることが可能であることを認識すべきである。例えば、本明細書で説明される態様をいくつであれ使用して、装置が実施されることが可能であり、あるいは方法が実施されることが可能である。さらに、本明細書で説明される態様の１つまたは複数に加えて、またはそれらの態様以外に、他の構造、機能、または構造と機能を使用して、そのような装置が実施されることが可能であり、あるいはそのような方法が実施されることが可能である。前述の概念の一部の概念の例として、一部の態様において、同時チャネルは、パルス反復周波数に基づいて確立されることが可能である。一部の態様において、同時チャネルは、パルス位置またはオフセットに基づいて確立されることが可能である。一部の態様において、同時チャネルは、時間ホッピング系列に基づいて確立されることが可能である。一部の態様において、同時チャネルは、パルス反復周波数、パルス位置もしくはオフセット、および時間ホッピング系列に基づいて確立されることが可能である。
【００３７】
当業者は、情報および信号が、様々な異なる技術および技法のいずれを使用して表されることも可能であることを理解するであろう。例えば、以上の説明の全体にわたって言及されることが可能なデータ、命令、コマンド、情報、信号、ビット、シンボル、およびチップは、電圧、電流、電磁波、磁界または磁気粒子、光の場または粒子、または以上の任意の組合せによって表現されることが可能である。
【００３８】
当業者は、本明細書で開示される態様に関連して説明される様々な例示的な論理ブロック、モジュール、プロセッサ、手段、回路、およびアルゴリズムステップが、電子ハードウェア（例えば、ソースコーディングまたは他の何らかの技術を使用して設計されることが可能なディジタル実施形態、アナログ実施形態、またはディジタル実施形態とアナログ実施形態の組合せ）として実施されても、命令を組み込んだ様々な形態のプログラムコードもしくは設計コード（便宜上、「ソフトウェア」または「ソフトウェアモジュール」と呼ばれることが可能な）として実施されても、あるいはこの両方の組合せとして実施されてもよいことをさらに認識するであろう。ハードウェアとソフトウェアの、この互換性を明確に示すのに、様々な例示的なコンポーネント、ブロック、モジュール、回路、およびステップが、概ね機能の点で以上に説明されてきた。そのような機能が、ハードウェアとして実施されるか、ソフトウェアとして実施されるかは、全体的なシステムに課される特定の応用上の制約、および設計上の制約に依存する。当業者は、説明される機能を、それぞれの特定の応用例に関して、様々な仕方で実施することができるが、そのような実施上の決定が、本開示の範囲からの逸脱を生じさせるものと解釈されてはならない。
【００３９】
本明細書で開示される態様に関連して説明される様々な例示的な論理ブロック、モジュール、および回路は、集積回路（「ＩＣ」）、アクセス端末装置、またはアクセスポイントの内部で実施される、あるいはＩＣ、アクセス端末装置、またはアクセスポイントによって実行されることが可能である。ＩＣは、汎用プロセッサ、ディジタル信号プロセッサ（ＤＳＰ）、特定用途向け集積回路（ＡＳＩＣ）、フィールドプログラマブルゲートアレー（ＦＰＧＡ）もしくは他のプログラマブルロジックデバイス、ディスクリートのゲートもしくはトランジスタロジック、ディスクリートのハードウェアコンポーネント、電気部品、光学部品、機械部品、あるいは本明細書で説明される機能を実行するように設計された以上の任意の組合せを備えることが可能であり、さらに、ＩＣの内部、ＩＣの外部、またはＩＣの内部と外部の両方に存在するコードもしくは命令を実行することが可能である。汎用プロセッサは、マイクロプロセッサであることが可能であるが、代替として、プロセッサは、任意の従来のプロセッサ、コントローラ、マイクロコントローラ、または状態マシンであってもよい。また、プロセッサは、コンピューティングデバイスの組合せとして、例えば、ＤＳＰとマイクロプロセッサの組合せ、複数のマイクロプロセッサ、ＤＳＰコアと連携する１つまたは複数のマイクロプロセッサ、または他の任意のそのような構成として実施されることも可能である。
【００４０】
いずれの開示されるプロセスにおけるステップのいずれの特定の順序または階層も、サンプルアプローチの例であるものと理解される。設計上の選好に基づき、これらのプロセスにおけるステップの特定の順序または階層は、本開示の範囲内に留まりながら、並べ替えられることが可能であるものと理解される。添付の方法クレームは、或るサンプル順序で様々なステップの要素を提示し、提示される特定の順序または階層に限定されることを意図するものではない。
【００４１】
本明細書で開示される態様に関連して説明される方法またはアルゴリズムのステップは、ハードウェアにおいて直接に、プロセッサによって実行されるソフトウェアモジュールにおいて、またはこの２つの組み合わせで実施されることが可能である。ソフトウェアモジュール（例えば、実行可能命令、および関連するデータを含む）、およびその他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の任意の形態のコンピュータ可読記憶媒体の中に存在することが可能である。サンプル記憶媒体は、例えば、コンピュータ／プロセッサ（本明細書で、便宜上、「プロセッサ」と呼ばれることが可能な）などのマシンに結合されて、プロセッサが、その記憶媒体から情報（例えば、コード）を読み取ること、およびその記憶媒体に情報を書き込むことができるようにされる。サンプル記憶媒体は、プロセッサと一体化していてもよい。プロセッサと記憶媒体は、ＡＳＩＣの中に存在することが可能である。このＡＳＩＣは、ユーザ機器内に存在することが可能である。代替として、プロセッサと記憶媒体は、ユーザ機器内のディスクリートのコンポーネントとして存在してもよい。さらに、一部の態様において、任意の適切なコンピュータプログラム製品が、本開示の態様の１つまたは複数と関係するコードを備えるコンピュータ可読媒体を備えることが可能である。一部の態様において、コンピュータプログラム製品は、実装材料を備えることが可能である。
【００４２】
本発明は、様々な態様に関連して説明されてきたが、本発明は、さらなる変形が可能であるものと理解される。本出願は、概して、本発明の原理に従い、さらに本発明が属する技術分野内の知られている、慣例的な慣行の範囲内に入るような本開示からの逸脱を含む、本発明の任意の変種、用途、または適合を範囲に含むことを意図している。
以下に、本願出願の当初の特許請求の範囲に記載された発明を付記する。
（１）  パルス分割多元接続を使用して媒体にアクセスするための同時直交チャネルを提供することであって、前記パルス分割多元接続は、前記同時直交チャネルを区別するために時間ホッピング系列とオフセットとを含み、且つ、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、同時直交チャネルを提供することと、および、
前記直交チャネルの少なくとも１つに関連する信号を処理することと、
を備える媒体アクセス制御方法。
（２）  前記同時直交チャネルは、比較的短い長さと、比較的広い帯域幅と、を有するパルスをサポートする超広帯域チャネルである（１）に記載の方法。
（３）  前記比較的短い長さは、約１ｐｓ（ピコ秒）から約１μｓ（マイクロ秒）までの範囲を有する（２）に記載の方法。
（４）  前記同時直交チャネルの１つのチャネル上のパルスを、その同時直交チャネルに関連付けられた、規定されたパルス位置で送信することをさらに備える（１）に記載の方法。
（５）  前記オフセットは、サポートされる同時直交チャネルの数に基づかれる（１）に記載の方法。
（６）  前記時間ホッピング系列および前記オフセットに基づいてパルス位置を規定することをさらに備える（１）に記載の方法。
（７）  前記パルス位置は、時間ホッピングスロットの数に基づいてさらに規定される（６）に記載の方法。
（８）  前記オフセットは、静的スカラー値を備える（１）に記載の方法。
（９）  前記オフセットは、時間とともに変化する値を備える（１）に記載の方法。
（１０）  前記オフセットは、非スカラー値を備える（１）に記載の方法。
（１１）  前記時間ホッピング系列は、送信機アドレス、受信機アドレス、チャネル識別子、系列番号、およびセキュリティ鍵、から成るグループのうち少なくとも１つに基づいて規定される（１）に記載の方法。
（１２）  媒体アクセス制御を提供するための装置であって、
パルス位置を規定するためにパルス分割多元接続を使用する同時直交チャネルをサポートする媒体アクセス制御を介してアクセスを提供するように適合された媒体アクセスコントローラであって、前記パルス分割多元接続が前記同時直交チャネルを区別するために時間ホッピング系列とオフセットとを含み、且つ、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、および、
前記媒体アクセスコントローラに動作上、結合され、且つ、前記直交チャネルの少なくとも１つに関連する信号を処理するように適合された、信号プロセッサと、
を備える装置。
（１３）  前記同時直交チャネルは、比較的短い長さと、比較的広い帯域幅と、を有するパルスをサポートする超広帯域チャネルである（１２）に記載の装置。
（１４）  前記比較的短い長さは、約１ｐｓ（ピコ秒）から約１μｓ（マイクロ秒）までの範囲を有する（１３）に記載の装置。
（１５）  パルスは、前記同時直交チャネルの１つのチャネル上で、その同時直交チャネルに関連付けられた、規定されたパルス位置で送信される（１２）に記載の装置。
（１６）  前記オフセットは、サポートされる同時直交チャネルの数に基づかれる（１２）に記載の装置。
（１７）  前記パルス位置は、前記時間ホッピング系列および前記オフセットに基づいて規定される（１２）に記載の装置。
（１８）  前記パルス位置は、前記時間ホッピング系列、前記オフセット、および時間ホッピングスロットの数、に基づいて規定される（１７）に記載の装置。
（１９）  前記オフセットは、静的スカラー値を備える（１２）に記載の装置。
（２０）  前記オフセットは、時間とともに変化する値を備える（１２）に記載の装置。
（２１）  前記オフセットは、非スカラー値を備える（１２）に記載の装置。
（２２）  前記時間ホッピング系列は、送信機アドレス、受信機アドレス、チャネル識別子、系列番号、およびセキュリティ鍵、から成るグループのうち少なくとも１つに基づいて規定される（１２）に記載の装置。
（２３）  媒体アクセス制御を提供するための装置であって、
パルス位置を規定するためにパルス分割多元接続を使用する同時直交チャネルをサポートする媒体アクセス制御を介してアクセスを提供するための手段であって、前記パルス分割多元接続が前記同時直交チャネルを区別するように時間ホッピング系列とオフセットとを含み、且つ、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、アクセスを提供するための手段と、および、
前記直交チャネルの少なくとも１つに関連する信号を処理するための手段と、
を備える装置。
（２４）  前記同時直交チャネルは、比較的短い長さと、比較的広い帯域幅と、を有するパルスをサポートする超広帯域チャネルである（２３）に記載の装置。
（２５）  前記比較的短い長さは、約１ｐｓ（ピコ秒）から約１μｓ（マイクロ秒）までの範囲を有する（２４）に記載の装置。
（２６）  パルスは、前記同時直交チャネルの１つのチャネル上で、その同時直交チャネルに関連付けられた、規定されたパルス位置で送信される（２３）に記載の装置。
（２７）  前記オフセットは、サポートされる同時直交チャネルの数に基づかれる（２３）に記載の装置。
（２８）  前記パルス位置は、前記時間ホッピング系列および前記オフセットに基づいて規定される（２３）に記載の装置。
（２９）  前記パルス位置は、前記時間ホッピング系列、前記オフセット、および時間ホッピングスロットの数、に基づいて規定される（２８）に記載の装置。
（３０）  前記オフセットは、静的スカラー値を備える（２３）に記載の装置。
（３１）  前記オフセットは、時間とともに変化する値を備える（２３）に記載の装置。
（３２）  前記オフセットは、非スカラー値を備える（２３）に記載の装置。
（３３）  前記時間ホッピング系列は、送信機アドレス、受信機アドレス、チャネル識別子、系列番号、およびセキュリティ鍵、から成るグループのうち少なくとも１つに基づいて規定される（２３）に記載の装置。
（３４）  同時直交チャネルを区別するために時間ホッピング系列とオフセットとを含むパルス分割多元接続を使用する前記同時直交チャネルをサポートする媒体アクセス制御を介してアクセスを提供するように適合された媒体アクセスコントローラであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
前記媒体アクセスコントローラに動作上、結合され、且つ、前記直交チャネルの少なくとも１つに関連する信号を処理するように適合された信号プロセッサと、および、
前記処理された信号によって表されるサウンドを生成するように適合されたトランスデューサと、
を備えるヘッドセット。
（３５）  同時直交チャネルを区別するために時間ホッピング系列とオフセットとを含むパルス分割多元接続を使用する前記同時直交チャネルをサポートする媒体アクセス制御を介してアクセスを提供するように適合された媒体アクセスコントローラであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
前記媒体アクセスコントローラに動作上、結合され、且つ、前記直交チャネルの少なくとも１つに関連する信号を処理するように適合された信号プロセッサと、および、
前記処理された信号によって表されるデータに基づく指示を生成するように適合されたユーザインターフェースと、
を備える腕時計。
（３６）  同時直交チャネルを区別するために時間ホッピング系列とオフセットとを含むパルス分割多元接続を使用する前記同時直交チャネルをサポートする媒体アクセス制御を介してアクセスを提供するように適合された媒体アクセスコントローラであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、媒体アクセスコントローラと、
前記媒体アクセスコントローラに動作上、結合され、且つ、前記直交チャネルの少なくとも１つに関連する信号を処理するように適合された信号プロセッサと、および、
感知されたデータに基づいて信号を生成するように適合されたセンサと、
を備える感知デバイス。
（３７）  同時直交チャネルを区別するために時間ホッピング系列とオフセットとを含むパルス分割多元接続を使用する前記同時直交チャネルをサポートする媒体アクセス制御を介してアクセスを提供することであって、前記時間ホッピング系列と第１のオフセットとが、前記同時直交チャネルの第１の同時チャネルを特定し、および、前記時間ホッピング系列と、前記第１のオフセットとは異なる第２のオフセットとが、前記同時直交チャネルの第２の同時チャネルを特定する、アクセスを提供し、および、
前記直交チャネルの少なくとも１つに関連する信号を処理する、
ように実行可能な命令を備える媒体アクセス制御コンピュータプログラム。
【図１】
0005474987.tif 000002
【図２】
0005474987.tif 000003
【図３】
0005474987.tif 000004
【図４】
0005474987.tif 000005
【図５】
0005474987.tif 000006
【図６】
0005474987.tif 000007
【図７】
0005474987.tif 000008